(57)【要約】【課題】密閉性に優れ、かつ携帯に便利で、軽量な塗香容器を提供可能にする。【解決手段】内側筒状体１を外側部材２の開口部からその上部を残して上下動摺動可能に収納し、内側筒状体１の上部を押圧したとき内側振出細孔４と外側振出細孔８とが連通して塗香通路１０を形成し、この塗香通路１０内の塗香を振出し可能な構成とする。【選択図】図１
0003139243.tif 000002
【実用新案登録請求の範囲】
【請求項１】
外周が楕円状で上部開口部に着脱自在の蓋体を螺着して、粉体または粒体などからなる塗香を収納する収納部とし、かつ収納部側部下方部に前記塗香を振出す内側振出細孔を穿設すると共に、該内側振出細孔の対向部に上下摺動幅を規制する摺動溝を形設した楕円状の内側筒状体と、
該内側筒状体を摺動可能に挿着できかつ前記内側筒状体の頭部が突出するように形成した楕円状の底部に、前記内側筒状体を上下摺動させる発条体を装着し、かつ前記内側振出細孔に対応する位置に外側振出細孔を穿設すると共に、前記摺動溝に係合する突起を突出させた楕円筒状の外側部材とから構成され、
前記内側筒状体を前記外側部材の開口部からその頭部を残して上下動摺動可能に装着し、前記内側筒状体の前記頭部を押圧したとき前記内側振出細孔と前記外側振出細孔が連通して塗香通路を形成し、前記塗香通路内の前記塗香を振出すことを可能にしたことを特徴とする塗香容器。
【請求項２】
前記塗香容器が、木材あるいは木材片を混合した合成樹脂で形成されていることを特徴とする請求項１記載の塗香容器。
【考案の詳細な説明】
【技術分野】
【０００１】
本考案は、粉体または粒体などからなる塗香を少量ずつ振出すことができる携帯可能な塗香容器に関する。
【背景技術】
【０００２】
粉体または粒体などの顆粒状物を収容し、必要に応じて振出すことのできる容器としては、食塩、胡麻、唐辛子等調味料を収納した食品容器や、粉体（パウダー）を収納した化粧容器などが知られている。いずれの容器の特徴も一度に多量の内容物が出ないように形成されている。これは穿設されている小孔から少量づつ数回に分けて、前記粉体または粒体などの前記内容物を振出すことができる構造となっている。
【０００３】
食塩、胡麻や唐辛子等の食品容器は、粒子が粗く、通常食卓に常備される性質の容器で、携帯性に欠ける。また、調味料等は振り出し量がある程度十分でないと調味効果が薄い場合がある。従って、調味料の容器には、振り出し口が複数個形成され、かつ振り出し口径がある程度大きく形成されている。
また、粉体を収納した化粧容器では、前記同様振り出し口が複数形成され、かつ振り出し口径が大きく形成されている。
【０００４】
しかしながら、これらの容器は、塗香のような粒体のきめが細かく、かつ高価で貴重な粉体または粒体は、必要なときに少量を振出すことができない。また、香りのあるものを収納する容器では、その香りを失わない構造である必要がある。さらに、塗香は儀式に使用されかつ貴重品であることから、常時携帯が可能であることも要求される。
【０００５】
そこで、本件出願人は、塗香容器に関して、先に実用新案登録第３０９０２７１号の実用新案登録を受けている。
この塗香容器は、木製で製造されたもので、筒状の塗香収納部と、この塗香収納部に装着される蓋と、前記塗香収納部を摺動自在に収納する筒状の外側部材からなり、この塗香収納部と、外側部材に連通する振出細口がそりぞれ穿設されている。
【特許文献１】実用思案登録第３０９０２７１号公報
【考案の開示】
【考案が解決しようとする課題】
【０００６】
しかしながら、塗香のような粒体のきめが細かく、かつ高価で貴重な粉体または粒体は、必要なときに少量を振出すことができるが、いずれも多くが円筒状の容器であることから、容器を倒したり、倒れ時に、自然に転がり、容器を紛失させたり、損傷するおそれがあった。
【０００７】
本考案は、上記従来の課題を解決するものであり、携帯容器として、従来容器に比べ密閉性、外観性に優れ、転がらない塗香容器を提供するものである。
【課題を解決するための手段】
【０００８】
本考案の請求項１にかかる塗香容器は、外周が楕円状で上部開口部に着脱自在の蓋体を螺着して、粉体または粒体などからなる塗香を収納する収納部とし、かつ内側筒状体側部下方部に前記塗香を振出す内側振出細孔を穿設すると共に、該内側振出細孔の対向部に上下摺動幅を規制する摺動溝を形設した楕円状の内側筒状体と、該内側筒状体を摺動可能に挿着できかつ前記内側筒状体の頭部が突出するように形成した楕円状の底部に、前記内側筒状体を上下摺動させる発条体を装着し、かつ前記内側振出細孔に対応する位置に外側振出細孔を穿設すると共に、前記摺動溝に係合する突起を突出させた楕円筒状の外側部材とから構成され、前記内側筒状体を前記外側部材の開口部からその頭部を残して上下動摺動可能に装着し、前記内側筒状体の前記頭部を押圧したとき前記内側振出細孔と前記外側振出細孔が連通して塗香通路を形成し、前記塗香通路内の前記塗香を振出すことを可能にしたことを特徴とする。
【０００９】
請求項１によれば、外周が楕円形に形成されているので、横においても転がることが無い。また、塗香容器に収納されている粒体または粉体からなる塗香を、連通する振出細孔で受け、この振出細孔に滞留している量のみが外側振出細孔から外部に振出される。更に、容器の構造が、内側筒状体と前記外側部材の２重構造になっているので、収納されている塗香の機密保存が可能であり、かつ不用意に外部へ漏れ出すおそれがない。
【００１０】
さらに、請求項２の考案は、前記塗香容器が、木材あるいは木材片を混合した合成樹脂で形成されていることを特徴とする。
【００１１】
請求項２によれば、容器全体が、木材あるいは木材片を混合した合成樹脂で製造されることにより、塗香への吸湿性があり、容器としての感触および外観（見栄え）がよく、軽量感が得られる。また、衝撃にも強く、経時安定性、耐久性に優れ、しかも小型で携帯に便利である。
【考案を実施するための最良の形態】
【００１２】
以下、本考案の実施の形態を、添付図面に基づいて具体的に説明する。
図１は本考案の実施の形態による塗香容器を模式的に示す斜視図、図２は本考案の実施の形態による塗香容器を模式的に示す縦断面図、図３は図１に示す塗香容器の正面図、図５は図１に示す塗香容器の側面図、図５は図１に示す塗香容器の平面図である。
【００１３】
これらの図に示すように、本考案に係わる塗香容器は、外周が楕円状の内側筒状体１と、上部が開口され内側筒状体１を上下摺動可能に収納する外側部材２とから構成される。内側筒状体１は、上部開口部が開閉（螺合および螺合解除）自在な蓋体３で覆われ、全体として楕円形の有底筒状体をなす。内側筒状体１の側部下方部には粉体または粒体からなる塗香を排出するための内側振出細孔４が水平に穿設されている。また、この内側振出細孔４の略対向部に上下摺動を規制する所定長の摺動溝５が形設されている。
【００１４】
また、外側部材２は、全体として楕円状の有底筒状体をなし、上部が開口し、楕円状の底部６に前記内側筒状体１を上方へ付勢する発条体、図２ではコイルスプリング７が装着されている。この外側部材２には、下方位置にある前記内側筒状体１の内側振出細孔４に連通する外側振出細孔８が水平に連通する形で穿設されている。そして、外側部材２には、前記摺動溝５と係合することによって内側筒状体１の昇降量を規制する突起９が突設されている。
【００１５】
本考案の塗香容器は、各図に示すように、内側筒状体１をその頭部が突出するように、外側部材２の開口部から収納すると、コイルスプリング７によって、内側筒状体１は外側部材２の内で上下方向に摺動可能に弾性支持された状態になる。この場合、外側部材２の突起９が、摺動溝５の上下幅の範囲内で内側筒状体１の上下摺動量を規制する。内側筒状体１の頭部を指で押し下げると、押圧時点で内側振出細孔４と外側振出外孔８とが連通し、粉体または粒体からなる塗香１１の塗香通路１０が形成される。この状態で、内側筒状体１に収納されている粉体または粒体からなる塗香１１が塗香通路１０に入り込み、その分（定量）だけが振出操作によって振出可能になる。
【００１６】
粉体または粒体からなる塗香１１は、内側筒状体１の頭部にある蓋体３を外してその内側筒状体１内に充填することができる。このため、内側筒状体１内が蓋体３で密閉されると共に、外側部材２への収納（嵌合）によって外気と遮断されている。なお、蓋体３の装着は螺子式でも，嵌め込み式などのあらゆる方法採用可能である。
【００１７】
内側筒状体１と外側部材２は、同一素材で形成してもよく、別々の素材で形成してもよいが、木材或いは木材片を混合した合成樹脂で形成されるのが好適である。木材としては、例えば欅を用いることができ、この場合には木目の美しさと表面の滑らかさを同時に表出することができる。いずれの素材も吸湿性があり、湿気に犯され難いものが用いられる。また、これらの形状は、全体として楕円形状をなすため、柔らか味を出すことができるほか、見栄えが良くなり、感触のよい製品とすることができる。外側部材２の表面に化粧板を施すと、見栄えが一段とよくなる。
【００１８】
また、塗香は、仏時や修行者が身体等に香を塗って、または／および口に含むなどして、汚れを除き（身体を清め）、邪気を払うために用いられるところから、内側筒状体１および外側部材２を含む塗香容器自体を、白檀、伽羅，沈香、羅国などの香木を用いて作ることができる。
【００１９】
内側筒状体１および外側部材２を含む塗香容器全体の外形を、前述のように、共に楕円形の有底筒状体としたことにより、塗香容器が経机などの水平面上で転がって転落することを防止でき、この塗香容器の破損や汚れを未然に回避することができる。
【００２０】
なお、この転がり防止のために、外側部材２を楕円形の有底円筒状にし、この外側部材２に円形の有底筒状体をなす内側筒状体１を密にかつ摺動可能に収納する構成とすることもできる。
【００２１】
本考案の塗香容器の作用を説明する。図２（ａ）に示すように、通常は内側筒状体１がコイルスプリング７の反発力により摺動溝５の上側停止点ａに押し上げられており、蓋体３をゆっくり押圧することによって、内側筒状体１を摺動溝５が下側停止点ｂに至るまで、図２（ｂ）のように押し下げる。これにより、内側筒状体１の内側振出細孔４と外側部材２の外側振出細孔８が近づき、内側筒状体１が下側停止点ｂに達したとき、内側筒状体１の内側振出細孔４の位置と外側部材２の外側振出細孔８の軸が一体となり連通して、塗香通路１０が形成される。内側振出細孔４と外側振出細孔８とが連通することにより塗香通路１０に塗香１１が流入し、塗香容器を軽く振ることにより、塗香通路１０に滞留している塗香１１を外部に振出する。
【００２２】
従って、本実施の形態では、外周が楕円形に形成されているので、横においても転がらす、かつ振出細孔１０が曲面側で無く角部に穿設されている。このため、床面に接触しないので衛生的である。また、内側筒状体１に収納されている粒体あるいは粉体からなる塗香１１を、連通（４，８）する振出細孔１０から必要に応じて少量づつ振出すことができる。このため、貴重な塗香１１を無駄にしない。
【００２３】
また、塗香容器の構造が、内側筒状体１と外側部材２との２重構造になっており、通常はコイルスプリング７の付勢で、内側振出細孔４と外側振出細孔８は交差し、通路遮断の状態で塗香通路１０が閉鎖されている。このため収容した粉体または粒体からなる塗香１１が外に漏れ出すおそれはない。
【００２４】
さらに、塗香容器の全体が木材または木材片を混合した合成樹脂で製造されているため、湿気を一定に保ち、感触が良く、軽量感が得られる。また、衝撃にも強く、経時安定性および耐久性があり、小型で携帯に便利となる。
【００２５】
また、塗香容器に収納されている粒体あるいは粉体の塗香１１を軽く振ることによって、連通する振出細孔４、８、つまり塗香通路１０内の容量分だけを振出すことができる。
【００２６】
また、塗香容器全体が楕円筒状をなし、かつ小型に形成されていることから、携帯に適し、見栄えも良好となる。また、素材が木製であるところから、木目が露出して外観が美しく、かつ湿気を遮断する。さらに、経机上面などの上においても、転げ落ちることはない。また、衝撃にも強く、経時安定性、耐久性にも優れるという効果が得られる。
【００２７】
前述のように、本実施の形態による塗香容器は、外周が楕円状で上部開口部に着脱自在の蓋体３を螺着して、粉体または粒体などからなる塗香１１を収納する収納部とし、かつ収納部側部下方部に塗香１１を振出す内側振出細孔４を穿設すると共に、該内側振出細孔４の対向部に上下摺動幅を規制する摺動溝５を形設した楕円状の内側筒状体１と、該内側筒状体１を摺動可能に挿着できかつ前記内側筒状体１の頭部が突出するように形成した楕円状の底部に、前記内側筒状体１を上下摺動させる発条体７を装着し、かつ前記内側振出細孔４に対応する位置に外側振出細孔８を穿設すると共に、前記摺動溝５に係合する突起９を突出させた楕円筒状の外側部材２とから構成され、前記内側筒状体１を前記外側部材２の開口部からその上部を残して上下動摺動可能に装着し、前記内側筒状体１の上部を押圧したとき前記内側振出細孔４と外側振出細孔８が連通して塗香通路１０を形成し、前記塗香通路１０内の前記塗香１１を振出すことを可能にした構成である。
【００２８】
これによって、内側筒状体１に収納されている粒体または粉体からなる塗香１１を、連通する振出細孔４、８で受け、これらの振出細孔４、８に滞留している量のみを外側振出細孔８（１０）から外部に振出すことができる。また、塗香容器の構造が、内側筒状体１と外側部材２との２重構造になっているので、塗香１１の密封保存が可能になり、不用意に外へ漏れ出すことを回避できる。また、外側部材１が全体として楕円筒状体をなすため、これを経机上に設置した場合に、倒れて転げ落ちることを未然に回避することができる。
【図面の簡単な説明】
【００２９】
【図１】本考案の実施の形態による塗香容器を模式的に示す斜視図である。
【図２】本考案の実施の形態による塗香容器を模式的に示す縦断面図である。
【図３】本考案の実施の形態による塗香容器の正面図である。
【図４】本考案の実施の形態による塗香容器の側面図である。
【図５】本考案の実施の形態による塗香容器の平面図である。
【符号の説明】
【００３０】
１…内側筒状体、２…外即部材、３…蓋、４…内側振出細孔、５…摺動溝、６…底部、７…発条体、８…外側振出細孔、９…突起、１０…塗香通路、１１…塗香
【図１】
0003139243.tif 000003
【図２】
0003139243.tif 000004
【図３】
0003139243.tif 000005
【図４】
0003139243.tif 000006
【図５】
0003139243.tif 000007